(57)【要約】　　　（修正有）【課題】切断加工時に刃先周辺を照らすライトを備えた携帯用電気丸鋸において、刃先と墨線の見易い携帯用電気丸鋸を構成することである。【解決手段】加工作業の進行方向に対して左右方向の少なくとも一方に切込み角度を調節可能で、かつ、切込み深さも調節可能なように構成され、切断加工時に刃先周辺を照らすライトを具備する携帯用電気丸鋸において、ライトの照射方向を上下左右方向に調節可能とした。【選択図】　　　図２
2004058389.tif 000002
【特許請求の範囲】
【請求項１】
動力部を内蔵する外郭部と、前記動力部の動力を減速部を介して出力する出力軸、該出力軸に取付けられたのこ刃、前記外郭部に固定され前記のこ刃の上側を覆うアッパーカバー、該アッパーカバーに前記出力軸と同心に回動可能に固定され、前記のこ刃の下側を覆うロアカバー、加工材にその底面を当接させ加工作業時の基準となるベースを有し、加工作業の進行方向に対して左右方向の少なくとも一方に切込み角度を調節可能で、かつ、切込み深さも調節可能なように構成され、切断加工時に刃先周辺を照らすライトを具備する携帯用電気丸鋸において、該ライトの照射方向を調節可能としたことを特徴とする携帯用電気丸鋸。
【請求項２】
前記ライトを前記外郭部に設けたことを特徴とする請求項１記載の携帯用電気丸鋸。
【請求項３】
前記ライトの照射範囲を上下左右方向に変更可能としたことを特徴とする請求項１あるいは請求項２記載の携帯用電気丸鋸。
【発明の詳細な説明】
【０００１】
【発明の属する技術分野】
本発明は、刃先周辺を照らすライトを具備する携帯用電気丸鋸に関するものである。
【０００２】
【従来の技術】
図２１〜図２９を用いて従来の携帯用電気丸鋸の例として、コードレス電気丸鋸について説明する。
【０００３】
図２１および２２においてハウジング１に内蔵されたモーター２の駆動力はピニオン３とギヤ４によって減速され、ギヤ４が圧入されたスピンドル５に伝達される。スピンドル５はその一端を、ハウジング１に固定され、のこ刃６の概ね上半分を覆うギヤカバー７に圧入されたメタル８に、他の一端をギヤカバー７に固定されたベアリングホルダー９に保持されたボールベアリング１０によって回転可能に支持されている。
【０００４】
のこ刃６はスピンドル５に回転不能に取付けられたワッシャ（Ａ）１１とワッシャ（Ｂ）１２によって挟まれ、ボルト１３でワッシャ（Ｂ）１２をスピンドル５に締付けることによって固定されている。のこ刃６の概ね下半分を覆うセフティーカバー１４はスピンドル５と同心に回動可能となるようにベアリングホルダー９に薄板状のブッシュ１５を挟んで取付けられ、ベアリングホルダー９にネジ１６によって固定されたベアリングカバー１７で抜け止めがなされている。
【０００５】
セフティーカバー１４は自身とギヤカバー７の間に取付けられたコイルバネ（図示しない）によって常に定常位置に戻るように附勢されている。また、ハウジング１にはモーター２を駆動するための蓄電池１８や、モーター２の駆動を制御するメインスイッチ（図示しない）、ライト（後述する）の点灯を制御するツマミ１９、配線部品（図示しない）などが装着あるいは収納されている。切断作業時は加工材にその底面を当接させ加工の基準となるベース２０には、のこ刃６とセフティーカバー１４が通り抜けることができる穴２１が設けられており、べベルプレート２２とリンク２３が共通の軸線２４上に配設されたリベット２５，２６によって、軸線２４を中心として回動可能に取付けられている（図２３，図２４，図２５）。
【０００６】
べベルプレート２２に設けられた穴２７，２８に挿通されたロールピン２９は同時にハウジング１の先端に設けられた穴３０に圧入され、ハウジング１はロールピン２９を軸にして回動可能に支持されている（図２６）。ギヤカバー７に設けられた角穴３１に回転不能に挿通されたカクネボルト３２は、同時にギヤカバー７とリンク２３の間に挟まれたワッシャ３３、リンク２３のガイド穴３４、ハウジング１のボス部３５，３６、ボス部３６に当接したワッシャ３７内に挿通されている。カクネボルト３２のボス部３６側端部にはクランプナット３８が取付けられており、その六角部にはめがねレンチと同様の十二角穴を持ったクランプレバー３９が嵌着されており、クランプナット３８に嵌着されたトメワ４０によって抜け止めがなされている。
【０００７】
ハウジング１をロールピン２９を軸にして回動させるとそれに合わせてカクネボルト３２はガイド穴３４内を移動する。クランプレバー３９を介してクランプナット３８を締付けるとギヤカバー７とリンク２３が固定され、任意の切込み深さでのこ刃６の位置を固定することができる。
【０００８】
一方ロールピン２９でべベルプレート２２に取付けられたハウジング１は、べベルプレート２２とリンク２３が軸線２４を中心として回動可能であるので、任意の切込み深さを保持した状態で切込み角度を変えることができる（図２７）。
【０００９】
ベース２０に設けられたガイド部４１にはべベルプレート２２に設けられたメネジ部４２の動きに合わせたガイド穴４３が設けられており、このガイド穴４３の端面４４にネジ付根の座面４５が当接するように挿通され、メネジ部４２にねじ込まれたチョウボルト４６を締付けることでべベルプレート２２を固定し、任意の切込み角度でのこ刃６の位置を固定することができる。
【００１０】
ハウジング１の穴３０近傍にはライト室４７（図２８）が配設され、ライト４８が装着されたソケット４９はソケット固定穴５０に挿通固定され、防塵のためライトカバー５１が装着されている。ライト４８はハウジング１に組込まれたツマミ１９を引くことによって点灯するが、ツマミ１９はメインスイッチ（図示しない）の安全ロックの役割を兼ねており、ツマミ１９を引かなければメインスイッチがＯＮできないようになっている。また、メインスイッチをＯＮすればツマミ１９はメインスイッチがＯＦＦされるまで、引かれたままの状態が維持されるので、ツマミ１９を引いた状態、あるいは切断作業中はライト４８が点灯した状態となる。このライト４８は切断作業が狙い通り正確に行えるよう、刃先周辺を照らすように調整されている。
【００１１】
【発明が解決しようとする課題】
図２９に示すように、従来の携帯用電気丸鋸ではライト４８は最大切込み時の刃先５２と墨線５３を主要な照射範囲５４とするように照射方向が固定されている。しかし、図２６から分かるように切込み深さを浅くすると刃先５２の位置はベース２０の中央側へ移動し、刃先５５のようになって主要な照射範囲５４から外れてしまう。こうなると刃先５５が見難くなるばかりか、刃先５５より前方の墨線５３が全域にわたって強く照らされるようになるため、表面の反射率の高い加工材の場合、反射によって墨線５３が見難くなる場合がある。また、作業者個人個人によって作業時に刃先を見る方向や角度が異なるため、特に切込み深さが浅い場合でなくても、加工材表面の反射によって墨線５３が見難くなる場合がある。
【００１２】
本発明の目的は、切込み深さや、加工材の表面の質、作業者の癖によらず、刃先と墨線の見易い携帯用電気丸鋸を構成することである。
【００１３】
【課題を解決するための手段】
上記目的は、刃先周辺を照らすライトの照射方向を変えられるようにすることによって達成される。
【００１４】
【発明の実施の形態】
（実施形態１）
図１〜図１４を用いて本発明による携帯用電気丸鋸の一実施形態として、コードレス電気丸鋸について説明する。
【００１５】
図１及び図２においてハウジング６１に内蔵されたモーター６２の駆動力はピニオン６３とギヤ６４によって減速され、ギヤ６４が圧入されたスピンドル６５に伝達される。スピンドル６５はその一端を、ハウジング６１に固定されのこ刃６６の概ね上半分を覆うギヤカバー６７に圧入されたメタル６８に、他の一端をギヤカバー６７に固定されたベアリングホルダー６９に保持されたボールベアリング７０によって回転可能に支持されている。
【００１６】
のこ刃６６はスピンドル６５に回転不能に取付けられたワッシャ（Ａ）７１とワッシャ（Ｂ）７２によって挟まれ、ボルト７３でワッシャ（Ｂ）７２をスピンドル６５に締付けることによって固定されている。のこ刃６６の概ね下半分を覆うセフティーカバー７４はスピンドル６５と同心に回動可能となるようにベアリングホルダー６９に薄板状のブッシュ７５を挟んで取付けられ、ベアリングホルダー６９にネジ７６によって固定されたベアリングカバー７７で抜け止めがなされている。セフティーカバー７４は自身とギヤカバー６７の間に取付けられたコイルバネ（図示しない）によって常に定常位置に戻るように付勢されている。また、ハウジング６１にはモーター６２を駆動するための蓄電池７８や、モーター６２の駆動を制御するメインスイッチ（図示しない）、ライト（後述する）の点灯を制御するツマミ７９、配線部品（図示しない）などが装着あるいは収納されている。
【００１７】
切断作業時は加工材にその底面を当接させ加工の基準となるベース８０には、のこ刃６６とセフティーカバー７４が通り抜けることができる穴８１が設けられており、べベルプレート８２とリンク８３が共通の軸線８４上に配設されたリベット８５，８６によって、軸線８４を中心として回動可能に取付けられている（図３〜図５）。
【００１８】
べベルプレート８２に設けられた穴８７，８８に挿通されたロールピン８９は同時にハウジング６１の先端に設けられた穴９０に圧入され、ハウジング６１はロールピン８９を軸にして回動可能に支持されている（図６）。ギヤカバー６７に設けられた角穴９１に回転不能に挿通されたカクネボルト９２は、同時にギヤカバー６７とリンク８３の間に挟まれたワッシャ９３、リンク８３のガイド穴９４、ハウジング６１のボス部９５，９６、ボス部９６に当接したワッシャ９７内に挿通されている。カクネボルト９２のボス部９６側端部にはクランプナット９８が取付けられており、その六角部にはめがねレンチと同様の十二角穴を持ったクランプレバー９９が嵌着されており、クランプナット９８に嵌着されたトメワ１００によって抜け止めがなされている。ハウジング６１をロールピン８９を軸にして回動させるとそれに合わせてカクネボルト９２はガイド穴９４内を移動する。
【００１９】
クランプレバー９９を介してクランプナット９８を締付けると、ギヤカバー６７とリンク８３が固定され、任意の切込み深さでのこ刃６６の位置を固定することができる。一方ロールピン８９でべベルプレート８２に取付けられたハウジング６１は、べベルプレート８２とリンク８３が軸線８４を中心として回動可能であるので、任意の切込み深さを保持した状態で切込み角度を変えることができる。ベース８０に設けられたガイド部１０１にはべベルプレート８２に設けられたメネジ部１０２の動きに合わせたガイド穴１０３が設けられており、このガイド穴１０３の端面１０４にネジ付根の座面１０５が当接するように挿通され、メネジ部１０２にねじ込まれたチョウボルト１０６を締付けることでべベルプレート８２を固定し、任意の切込み角度でのこ刃６６の位置を固定することができる。
【００２０】
ハウジング６１の穴９０近傍にはライト室１０７（図７）が配設されており、ライト１０８が装着されたソケット１０９はソケットホルダ１１０（図８）のソケット固定穴１１１に挿通固定されている。
【００２１】
図１０〜図１３に示すようにライト室１０７とホルダストッパ１１２（図９）の内壁面は連続した球面形状１１３となっており、ソケットホルダ１１０の外周面１１４はそれよりわずかに小さい球面形状となっているため、ライト室１０７上部に設けられた長穴１１５からシャフト１１６を突き出し、ハウジング６１とホルダストッパ１１２によって挟持されたソケットホルダ１１０は、長穴１１５とシャフト１１６によって外周面１１４の周方向に回転不能に動きを規制される一方、自身の外周部のエッジ１１７，１１８がハウジング６１とホルダストッパ１１２の側壁１１９，１２０に突当たる範囲内でシャフト１１６を軸として回転することができる。
【００２２】
ハウジング６１とホルダストッパ１１２、外周面１１４によって形成される溝１２１には丸棒状のゴムパッキン１２２が挟持され、ソケットホルダ１１０の動きに節度を与えている。
【００２３】
また、ライト室１０７には、防塵のためゴムブッシュ１２３が嵌着されたライトカバー１２４が嵌着され、それらを貫通したシャフト１１６の先端には切欠き１２５を利用してノブ１２６が嵌着されている。
【００２４】
ソケットホルダ１１０のハウジング６１への固定は、ハウジング６１の穴１２７にホルダストッパ１１２の突起１２８を圧入し、ネジ１２９をホルダストッパ１１２の穴１３０を通してハウジング６１のネジ穴１３１に締付けることでなされる。ライト１０８はハウジング６１に組込まれたツマミ７９を引くことによって点灯するが、ツマミ７９はメインスイッチ（図示しない）の安全ロックの役割を兼ねており、ツマミ７９を引かなければメインスイッチがＯＮできないようになっている。
【００２５】
また、メインスイッチをＯＮすればツマミ７９はメインスイッチがＯＦＦされるまで、引かれたままの状態が維持されるので、ツマミ７９を引いた状態、あるいは切断作業中はライト１０８が点灯した状態となる。このライト１０８は切断作業が狙い通り正確に行えるよう、刃先周辺を照らすようになっているが、本実施形態ではノブ１２６を操作することでソケットホルダ１１０を動かし、ライト１０８の照射方向を中立の状態から上面から見て上下左右にそれぞれ±１０度回転することができるので、図１４に示すようにライト１０８が中立の状態の照射範囲１３２を範囲１３３内で移動することができる。図１４において、最大切込み時の刃先１３４、切込み深さを浅くした場合の刃先１３５、墨線１３６である。
（実施形態２）
実施形態１ではライトを単独で動かすことで照射方向を変えたが、ライト室そのものをハウジングから独立させ、ライト室ごと動かすことでライトの照射方向を変えても良い。
【００２６】
図１５〜図２０を用いて本実施形態を簡単に説明する。
【００２７】
ライト室１４０（図１５）はハウジング（図示しない）前方の刃先周辺を照らすのに都合の良い位置に取付けられており、ライト１４１が装着されたソケット１４２はライト室１４０に設けられたソケット固定穴１４３に挿通固定され、防塵のためライトカバー１４４が装着されている。
【００２８】
ライト室１４０の端部に設けられた球状のジョイント部１４５は、ハウジング（図示しない）に二つに分割して設けられたライト室保持部１４６，１４７（図１７，図１８）によって形成され、ジョイント部１４５よりわずかに小さい球面形状であるジョイント受け部１４８によって回動可能に挟持されている。
【００２９】
ソケット固定穴１４３からジョイント部１４５にかけては、ソケット１４２のリード線１４９を通すための溝１５０が設けられており、この溝１５０があるためにジョイント受け部１４８から圧迫を受けたジョイント部１４５はわずかに変形し、その反発力によって自身の動きに節度を与えている。
【００３０】
図１６に示すように、ライト室１４０はジョイント部１４５に設けられた突起１５１がライト室保持部１４６に設けられたガイド溝１５２によって制限を受ける範囲内でその角度を変えることができ、結果として実施形態１の場合と同様にライトの照射方向を上下左右方向に変えることができ、切込み深さや、加工材の表面の質、作業者の癖によらず、刃先と墨線の見易い携帯用電気丸鋸を提供することができるようになる。
【００３１】
なお、上述の実施形態１、実施形態２ではライト室がハウジングと一体あるいはハウジングに保持されている構成について述べたが、ライト室はアッパーカバーやベースに一体あるいは保持された構成であっても良い。
【００３２】
【発明の効果】
本発明によれば、ライトの照射方向を変え、主要な照射範囲を移動出来るようにしたので、切込み深さが浅い場合でも刃先を照らすように照射範囲を変え、加工材表面の反射によって墨線が見難い場合は主要な照射範囲を墨線から外すことによって反射による影響を低くすることができ、切込み深さや、加工材の表面の質、作業者の癖によらず、刃先と墨線の見易い携帯用電気丸鋸を提供することができるようになる。
【図面の簡単な説明】
【図１】本発明携帯用電気丸鋸の一実施形態を示す側面要部断面図。
【図２】図１の携帯用電気丸鋸の一部断面平面図。
【図３】図１の携帯用電気丸鋸のベベルプレートの一実施形態を示す要部拡大図。
【図４】図１の携帯用電気丸鋸のリンクの一実施形態を示す要部拡大図。
【図５】図１の携帯用電気丸鋸の正面図。
【図６】図１の携帯用電気丸鋸の一動作状態を示す正面図。
【図７】（ａ）は図１の携帯用電気丸鋸のライト室の一実施形態を示す要部拡大図、（ｂ）は（ａ）のＡ−Ａ線断面図、（ｃ）は（ａ）の背面図。
【図８】（ａ）は本発明携帯用電気丸鋸を構成するソケットの一実施形態を示す拡大図、（ｂ）は（ａ）のＢ方向矢視図、（ｃ）は（ａ）のＣ方向矢視図。
【図９】（ａ）は本発明携帯用電気丸鋸を構成するホルダストッパの一実施形態を示す拡大図、（ｂ）は（ａ）の背面図、（ｃ）は（ａ）のＤ−Ｄ線断面図。
【図１０】本発明携帯用電気丸鋸の一実施形態を示すライト室近傍の一部断面平面図。
【図１１】図１０のＥ−Ｅ線断面図。
【図１２】本発明携帯用電気丸鋸の一動作状態を示すライト室近傍の一部断面平面図。
【図１３】本発明携帯用電気丸鋸の一動作状態を示す図１０のＥ−Ｅ線断面要部拡大図。
【図１４】本発明携帯用電気丸鋸の一実施形態を示す刃先近傍を示す平面図。
【図１５】（ａ）は本発明携帯用電気丸鋸の他の実施形態を構成するライト室を示す拡大図、（ｂ）は（ａ）のＦ−Ｆ線断面図、（ｃ）は（ａ）の背面図。
【図１６】本発明携帯用電気丸鋸の他の実施形態を構成するライト室近傍を示す要部拡大断面図。
【図１７】（ａ）は図１６のＧ−Ｇ線断面図、（ｂ）は（ａ）のＩ方向矢視図。
【図１８】（ａ）は図１６のＨ−Ｈ線断面図、（ｂ）は（ａ）のＪ方向矢視図。
【図１９】本発明携帯用電気丸鋸の一動作状態を示すライト室近傍の一部断面平面図。
【図２０】図１９のＫ方向矢視図。
【図２１】従来の携帯用電気丸鋸の一例を示す側面要部断面図。
【図２２】図２１の一部断面平面図。
【図２３】図２１の携帯用電気丸鋸のベベルプレートの一例を示す要部拡大図。
【図２４】図２１の携帯用電気丸鋸のリンクの一例を示す要部拡大図。
【図２５】図２１の携帯用電気丸鋸の正面図。
【図２６】図２１の携帯用電気丸鋸の一動作状態を示す正面図。
【図２７】図２１の携帯用電気丸鋸の一動作状態を示す正面図。
【図２８】従来の携帯用電気丸鋸のライト室の一例を示す要部拡大正面図。
【図２９】従来の携帯用電気丸鋸の刃先近傍を示す要部拡大平面図。
【符号の説明】
１０７はライト室、１０８はライト、１０９はソケット、１１０はソケットホルダ、１１２はホルダストッパである。
【図１】
2004058389.tif 000003
【図２】
2004058389.tif 000004
【図３】
2004058389.tif 000005
【図４】
2004058389.tif 000006
【図５】
2004058389.tif 000007
【図６】
2004058389.tif 000008
【図７】
2004058389.tif 000009
【図８】
2004058389.tif 000010
【図９】
2004058389.tif 000011
【図１０】
2004058389.tif 000012
【図１１】
2004058389.tif 000013
【図１２】
2004058389.tif 000014
【図１３】
2004058389.tif 000015
【図１４】
2004058389.tif 000016
【図１５】
2004058389.tif 000017
【図１６】
2004058389.tif 000018
【図１７】
2004058389.tif 000019
【図１８】
2004058389.tif 000020
【図１９】
2004058389.tif 000021
【図２０】
2004058389.tif 000022
【図２１】
2004058389.tif 000023
【図２２】
2004058389.tif 000024
【図２３】
2004058389.tif 000025
【図２４】
2004058389.tif 000026
【図２５】
2004058389.tif 000027
【図２６】
2004058389.tif 000028
【図２７】
2004058389.tif 000029
【図２８】
2004058389.tif 000030
【図２９】
2004058389.tif 000031